(57)【要約】      （修正有）【課題】誤操作によるタッチ操作の検出を低減することが可能な技術を提供する。【解決手段】電子機器１は、表示部１２０と、タッチ操作検出部１３０と、近接検出部２００と、第１設定部とを備える。表示部１２０は、情報を表示しない第１表示モードと、情報を表示する第２表示モードとを有する。タッチ操作検出部は、第１感度で電子機器１の表面に対するタッチ操作を検出する第１検出モードと、当該第１感度より高い第２感度で当該タッチ操作を検出する第２検出モードとを有する。近接検出部２００は、物体の近接を検出する。第１設定部は、タッチ操作検出部の検出モードを設定する。第１設定部は、表示部１２０の表示モードが第１表示モードから第２表示モードに切り替わるときに、近接検出部２００が物体の近接を検出している場合には、タッチ操作検出部の検出モードを第１検出モードに設定する。【選択図】図３
2017068327.tif 000002
【特許請求の範囲】
【請求項１】
電子機器であって、
情報を表示しない第１表示モードと、情報を表示する第２表示モードとを有する表示部と、
第１感度で前記電子機器の表面に対するタッチ操作を検出する第１検出モードと、当該第１感度より高い第２感度で当該タッチ操作を検出する第２検出モードとを有するタッチ操作検出部と、
物体の近接を検出する近接検出部と、
前記タッチ操作検出部の検出モードを設定する第１設定部と
を備え、
前記第１設定部は、前記表示部の表示モードが前記第１表示モードから前記第２表示モードに切り替わるときに、前記近接検出部が前記近接を検出している場合には、前記検出モードを前記第１検出モードに設定する、電子機器。
【請求項２】
請求項１に記載の電子機器であって、
前記第１設定部は、前記表示モードが前記第１表示モードから前記第２表示モードに切り替わるときに、前記近接検出部が前記近接を検出していない場合には、前記検出モードを前記第２検出モードに設定する、電子機器。
【請求項３】
請求項１及び請求項２のいずれか一つに記載の電子機器であって、
前記第１設定部は、前記表示モードが前記第１表示モードから前記第２表示モードに切り替わるときに前記近接検出部が前記近接を検出しており、その後、前記近接検出部が前記近接を検出しなくなった場合には、前記検出モードを前記第２検出モードに設定する、電子機器。
【請求項４】
請求項１及び請求項２のいずれか一つに記載の電子機器であって、
前記第１設定部は、前記表示モードが前記第１表示モードから前記第２表示モードに切り替わるときに前記近接検出部が前記近接を検出しており、その後、前記タッチ操作検出部が前記タッチ操作を検出するまでの間に、前記近接検出部が前記近接を検出しなくなった場合には、前記検出モードを前記第２検出モードに設定する、電子機器。
【請求項５】
請求項２乃至請求項４のいずれか一つに記載の電子機器であって、
前記第２検出モードの前記タッチ操作検出部が前記タッチ操作を検出した場合に、前記タッチ操作検出部からの検出信号に基づいて、前記タッチ操作が前記第１検出モードの前記タッチ操作検出部で検出できるか否かを判定する判定部をさらに備え、
前記第１設定部は、前記判定部において前記タッチ操作が前記第１検出モードの前記タッチ操作検出部で検出できると判定される場合には、前記検出モードを前記第１検出モードに設定する、電子機器。
【請求項６】
請求項１乃至請求項５のいずれか一つに記載の電子機器であって、
前記電子機器は、動作モードとして、当該電子機器の所定の機能の実行が制限されるロックモードと、当該所定の機能の実行が制限されない非ロックモードとを有し、
前記動作モードを設定する第２設定部をさらに備え、
前記表示モードが前記第１表示モードから前記第２表示モードに切り替わった場合には、前記第２設定部は、前記動作モードを前記ロックモードに設定し、
前記表示部は、前記動作モードが前記ロックモードであるときに、前記動作モードが前記ロックモードであることを示すロック画面を表示し、
前記第２設定部は、前記表示部が前記ロック画面を表示しているときに、前記タッチ操作検出部が、操作点が操作開始点から所定距離以上移動する前記タッチ操作を検出した場合には、前記動作モードを前記非ロックモードに設定し、
前記近接検出部が前記近接を検出していない場合には、前記所定距離は、第１距離に設定され、
前記近接検出部が前記近接を検出している場合には、前記所定距離は、前記第１距離よりも長い第２距離に設定される、電子機器。
【請求項７】
請求項１に記載の電子機器であって、
照度を検出する照度検出部をさらに備え、
前記第１設定部は、前記表示モードが前記第１表示モードから前記第２表示モードに切り替わるときに、前記近接検出部が前記近接を検出しており、かつ前記照度検出部での検出照度が所定値以下である場合には、前記検出モードを前記第１検出モードに設定する、電子機器。
【請求項８】
請求項７に記載の電子機器であって、
前記第１設定部は、前記表示モードが前記第１表示モードから前記第２表示モードに切り替わるときに、前記近接検出部が前記近接を検出していない場合には、前記検出モードを前記第２検出モードに設定する、電子機器。
【請求項９】
請求項７及び請求項８のいずれか一つに記載の電子機器であって、
前記第１設定部は、前記表示モードが前記第１表示モードから前記第２表示モードに切り替わるときに前記近接検出部が前記近接を検出しており、その後、前記近接検出部が前記近接を検出しなくなった場合には、前記検出モードを前記第２検出モードに設定する、電子機器。
【請求項１０】
請求項７及び請求項８のいずれか一つに記載の電子機器であって、
前記第１設定部は、前記表示モードが前記第１表示モードから前記第２表示モードに切り替わるときに前記近接検出部が前記近接を検出しており、その後、前記タッチ操作検出部が前記タッチ操作を検出するまでの間に、前記近接検出部が前記近接を検出しなくなった場合には、前記検出モードを前記第２検出モードに設定する、電子機器。
【請求項１１】
請求項７に記載の電子機器であって、
前記第１設定部は、前記表示モードが前記第１表示モードから前記第２表示モードに切り替わるときに、前記検出照度が前記所定値より大きい場合には、前記検出モードを前記第２検出モードに設定する、電子機器。
【請求項１２】
請求項７及び請求項１１のいずれか一つに記載の電子機器であって、
前記第１設定部は、前記表示モードが前記第１表示モードから前記第２表示モードに切り替わるときに前記検出照度が前記所定値以下であって、その後、前記検出照度が前記所定値より大きくなった場合には、前記検出モードを前記第２検出モードに設定する、電子機器。
【請求項１３】
請求項７及び請求項１１のいずれか一つに記載の電子機器であって、
前記第１設定部は、前記表示モードが前記第１表示モードから前記第２表示モードに切り替わるときに前記検出照度が前記所定値以下であて、その後、前記タッチ操作検出部が前記タッチ操作を検出するまでの間に、前記検出照度が前記所定値より大きくなった場合には、前記検出モードを前記第２検出モードに設定する、電子機器。
【請求項１４】
請求項７に記載の電子機器であって、
前記第１設定部は、前記表示モードが前記第１表示モードから前記第２表示モードに切り替わるときに、前記近接検出部が前記近接を検出していない場合と、前記検出照度が前記所定値より大きい場合との少なくとも一方の場合において、前記検出モードを前記第２検出モードに設定する、電子機器。
【請求項１５】
請求項７及び請求項１４のいずれか一つに記載の電子機器であって、
前記第１設定部は、前記表示モードが前記第１表示モードから前記第２表示モードに切り替わるときに前記近接検出部が前記近接を検出しており、かつ前記検出が所定値以下であって、その後、前記近接検出部が前記近接を検出しなくなった場合と、前記検出照度が前記所定値より大きくなった場合との少なくとも一方の場合において、前記検出モードを前記第２検出モードに設定する、電子機器。
【請求項１６】
請求項７及び請求項１４のいずれか一つに記載の電子機器であって、
前記第１設定部は、前記表示モードが前記第１表示モードから前記第２表示モードに切り替わるときに前記近接検出部が前記近接を検出しており、かつ前記検出が所定値以下であって、その後、前記タッチ操作検出部が前記タッチ操作を検出するまでの間に、前記近接検出部が前記近接を検出しなくなった場合と、前記検出照度が前記所定値より大きくなった場合との少なくとも一方の場合において、前記検出モードを前記第２検出モードに設定する、電子機器。
【請求項１７】
請求項８乃至請求項１６のいずれか一つに記載の電子機器であって、
前記第２検出モードの前記タッチ操作検出部が前記タッチ操作を検出した場合に、前記タッチ操作検出部からの検出信号に基づいて、前記タッチ操作が前記第１検出モードの前記タッチ操作検出部で検出できるか否かを判定する判定部をさらに備え、
前記第１設定部は、前記判定部において前記タッチ操作が前記第１検出モードの前記タッチ操作検出部で検出できると判定される場合には、前記検出モードを前記第１検出モードに設定する、電子機器。
【請求項１８】
請求項７乃至請求項１７のいずれか一つに記載の電子機器であって、
前記電子機器は、動作モードとして、当該電子機器の所定の機能の実行が制限されるロックモードと、当該所定の機能の実行が制限されない非ロックモードとを有し、
前記動作モードを設定する第２設定部をさらに備え、
前記表示モードが前記第１表示モードから前記第２表示モードに切り替わった場合には、前記第２設定部は、前記動作モードを前記ロックモードに設定し、
前記表示部は、前記動作モードが前記ロックモードであるときに、前記動作モードが前記ロックモードであることを示すロック画面を表示し、
前記第２設定部は、前記表示部が前記ロック画面を表示しているときに、前記タッチ操作検出部が、操作点が操作開始点から所定距離以上移動する前記タッチ操作を検出した場合には、前記動作モードを前記非ロックモードに設定し、
前記近接検出部が前記近接を検出していない場合と、前記検出照度が前記所定値より大きい場合との少なくとも一方の場合には、前記所定距離は、第１距離に設定され、
前記近接検出部が前記近接を検出しており、かつ前記検出照度が前記所定値以下である場合には、前記所定距離は、前記第１距離よりも長い第２距離に設定される、電子機器。
【請求項１９】
情報を表示しない第１表示モードと、情報を表示する第２表示モードとを有する表示部と、第１感度で電子機器の表面に対するタッチ操作を検出する第１検出モードと、当該第１感度より高い第２感度で当該タッチ操作を検出する第２検出モードとを有するタッチ操作検出部とを備える、電子機器の動作方法であって、
前記表示部の表示モードを前記第１表示モードから、前記第２表示モードに切り替える第１工程と、
物体の近接を検出する第２工程と、
前記第１工程において、前記近接を検出している場合には、前記タッチ操作検出部の検出モードを前記第１検出モードに設定する第３工程と
を備える、電子機器の動作方法。
【発明の詳細な説明】
【技術分野】
【０００１】
本発明は、電子機器に関する。
【背景技術】
【０００２】
特許文献１に記載されているように、従来から電子機器に関して様々な技術が開示されている。
【先行技術文献】
【特許文献】
【０００３】
【特許文献１】特開２０１２−２０３８９５号公報
【発明の概要】
【発明が解決しようとする課題】
【０００４】
電子機器では、当該電子機器の表面に対するタッチ操作を検出する場合がある。この場合には、誤操作によるタッチ操作の検出が少ないことが望まれる。
【０００５】
そこで、本発明は上述の点に鑑みて成されたものであり、誤操作によるタッチ操作の検出を低減することが可能な技術を提供することを目的とする。
【課題を解決するための手段】
【０００６】
電子機器及び電子機器の動作方法が開示される。一の実施の形態では、電子機器は、表示部と、タッチ操作検出部と、近接検出部と、第１設定部とを備える。表示部は、情報を表示しない第１表示モードと、情報を表示する第２表示モードとを有する。タッチ操作検出部は、第１感度で電子機器の表面に対するタッチ操作を検出する第１検出モードと、当該第１感度より高い第２感度で当該タッチ操作を検出する第２検出モードとを有する。近接検出部は、物体の近接を検出する。第１設定部は、タッチ操作検出部の検出モードを設定する。第１設定部は、表示部の表示モードが第１表示モードから第２表示モードに切り替わるときに、近接検出部が物体の近接を検出している場合には、タッチ操作検出部の検出モードを第１検出モードに設定する。
【０００７】
また、一の実施の形態では、電子機器の動作方法は、情報を表示しない第１表示モードと、情報を表示する第２表示モードとを有する表示部と、第１感度で電子機器の表面に対するタッチ操作を検出する第１検出モードと、当該第１感度より高い第２感度で当該タッチ操作を検出する第２検出モードとを有するタッチ操作検出部とを備える、電子機器の動作方法である。電子機器の動作方法は、表示部の表示モードを第１表示モードから、第２表示モードに切り替える第１工程と、物体の近接を検出する第２工程と、第１工程において、物体の近接を検出している場合には、タッチ操作検出部の検出モードを第１検出モードに設定する第３工程とを備える。
【発明の効果】
【０００８】
誤操作によるタッチ操作の検出を低減することができる。
【図面の簡単な説明】
【０００９】
【図１】電子機器の外観の一例を概略的に示す斜視図である。
【図２】電子機器の外観の一例を概略的に示す背面図である。
【図３】電子機器の電気的構成の一例を示す図である。
【図４】表示画面の表示の一例を示す図である。
【図５】表示画面の表示の一例を示す図である。
【図６】ユーザが電子機器を操作する様子の一例を示す図である。
【図７】ユーザが電子機器を操作する様子の一例を示す図である。
【図８】ユーザが電子機器を操作する様子の一例を示す図である。
【図９】電子機器の動作の一例を示すフローチャートである。
【図１０】電子機器の動作の一例を示すフローチャートである。
【図１１】電子機器の動作の一例を示すフローチャートである。
【図１２】電子機器の動作の一例を示すフローチャートである。
【発明を実施するための形態】
【００１０】
＜第１実施形態＞
＜電子機器の外観＞
図１は、電子機器１の外観の一例を概略的に示す斜視図である。図２は、電子機器１の外観の一例を概略的に示す背面図である。電子機器１は、例えば、スマートフォン等の携帯電話機である。電子機器１は、基地局及びサーバ等を通じて他の通信装置と通信することが可能である。
【００１１】
図１及び図２に示されるように、電子機器１は、当該電子機器１の前面１ａに位置するカバーパネル２と、当該カバーパネル２が取り付けられる機器ケース３とを備えている。カバーパネル２及び機器ケース３は、電子機器１の外装を成している。電子機器１の形状は、例えば、平面視において略長方形の板状となっている。
【００１２】
カバーパネル２には、後述する表示パネル１２１が表示する、文字、記号、図形等の各種情報が表示される表示画面（表示領域）２ａが設けられている。つまり、表示画面２ａは、電子機器１の前面１ａに設けられている。カバーパネル２における、表示画面２ａを取り囲む周縁部２ｂの大部分は、例えばフィルム等が貼られることによって黒色となっている。これにより、カバーパネル２の周縁部２ｂの大部分は、表示パネル１２１が表示する各種情報が表示されない非表示領域となっている。
【００１３】
表示画面２ａの裏側には、後述するタッチセンサ１３０が設けられている。これにより、ユーザは、表示画面２ａを指等の操作子で操作することによって、電子機器１に対して各種指示を与えることができる。
【００１４】
図１に示されるように、カバーパネル２の上側端部には、後述する近接検出部２００が電子機器１の外部から視認できるための第１透明部２０と、後述する照度検出部２１０が電子機器１の外部から視認できるための第２透明部２１とが設けられている。第１透明部２０及び第２透明部２１は、例えば、電子機器１の短手方向に沿って並んで設けられている。また、カバーパネル２の上側端部には、レシーバ穴１６が設けられている。さらに、カバーパネル２の上側端部には、後述する前面側撮像部１８０が有するレンズが電子機器１の外部から視認できるための第３透明部１８が設けられている。
【００１５】
また、カバーパネル２の下側端部には、スピーカ穴１７が設けられている。そして、電子機器１の底面１ｃ、つまり機器ケース３の底面（下側の側面）には、マイク穴１５が設けられている。
【００１６】
図２に示されるように、電子機器１の背面１ｂ、つまり機器ケース３の背面の上側端部には、後述する背面側撮像部１９０が有する撮像レンズが、電子機器１の外部から視認できるための第４透明部１９が設けられている。
【００１７】
機器ケース３の内部には、複数の操作キー１４から成る操作キー群１４０が設けられている。各操作キー１４は、押しボタンなどのハードウェアキーである。操作キーは、「操作ボタン」とも呼ばれる。各操作キー１４は、電子機器１の表面から露出している。ユーザは、各操作キー１４を指等で押圧することによって、電子機器１に対して各種指示を与えることができる。複数の操作キー１４には、操作キー１４ａ〜１４ｄが含まれている。
【００１８】
操作キー１４ａは、例えば電源キーである。電源キーは、電子機器１において、一部の機能を停止したり、停止している機能を復帰（起動）したりするための操作キーである。図１及び図２に示されるように、操作キー１４ａは、電子機器１の右側側面１ｄ、つまり機器ケース３の右側側面に設けられている。操作キー１４ａは、例えば、機器ケース３の右側側面から外側に突出している。ユーザが操作キー１４ａを操作することによって、電子機器１において、一部の機能が停止したり、停止している機能が復帰したりする。以後、操作キー１４ａを「電源キー１４ａ」と呼ぶことがある。
【００１９】
操作キー１４ｂは、例えばバックキーである。バックキーは、表示画面２ａの表示を一つ前の表示に切り替えるための操作キーである。図１に示されるように、操作キー１４ｂは、カバーパネル２の下側端部に設けられている。ユーザが操作キー１４ｂを操作することよって、表示画面２ａの表示が一つ前の表示に切り替わる。
【００２０】
操作キー１４ｃは、例えばホームキーである。ホームキーは、表示画面２ａにホーム画面を表示させるための操作キーである。図１に示されるように、操作キー１４ｃは、カバーパネル２の下側端部に設けられている。ユーザが操作キー１４ｃを操作することよって、表示画面２ａにホーム画面が表示される。以後、操作キー１４ｃを「ホームキー１４ｃ」と呼ぶことがある。
【００２１】
操作キー１４ｄは、例えば履歴キーである。履歴キーは、電子機器１で実行されたアプリケーションの履歴を表示画面２ａに表示されるための操作キーである。図１に示されるように、操作キー１４ｄは、カバーパネル２の下側端部に設けられている。ユーザが操作キー１４ｄを操作することよって、表示画面２ａには、電子機器１で実行されたアプリケーションの履歴が表示される。
【００２２】
＜電子機器の電気的構成＞
図３は、電子機器１の電気的構成の一例を示すブロック図である。図３に示されるように、電子機器１には、制御部１００、無線通信部１１０、表示部１２０、タッチセンサ１３０、操作キー群１４０、マイク１５０、レシーバ１６０、外部スピーカ１７０、前面側撮像部１８０、背面側撮像部１９０、近接検出部２００、照度検出部２１０及び電池２２０が設けられている。電子機器１に設けられたこれらの構成要素のそれぞれは、機器ケース３内に収められている。
【００２３】
制御部１００は、一種のコンピュータであって、例えばＣＰＵ（Central Processing Unit）１０１、ＤＳＰ（Digital Signal Processor）１０２及び記憶部１０３等を備えている。制御部１００は、電子機器１の他の構成要素を制御することによって、電子機器１の動作を統括的に管理することが可能である。
【００２４】
記憶部１０３は、ＲＯＭ（Read Only Memory）及びＲＡＭ（Random Access Memory）等の、ＣＰＵ１０１及びＤＳＰ１０２が読み取り可能な非一時的な記録媒体で構成されている。記憶部１０３には、電子機器１を制御するためのメインプログラム及び複数のアプリケーションプログラム（以降、単に「アプリケーション」と呼ぶことがある）等が記憶されている。制御部１００の各種機能は、ＣＰＵ１０１及びＤＳＰ１０２が記憶部１０３内の各種プログラムを実行することによって実現される。記憶部１０３には、例えば、音声通話及びビデオ通話を行うための通話アプリケーション、前面側撮像部１８０及び背面側撮像部１９０を用いて被写体を撮像するためのカメラアプリケーションなどが記憶されている。
【００２５】
なお、記憶部１０３は、ＲＯＭ及びＲＡＭ以外の、コンピュータが読み取り可能な非一時的な記録媒体を備えていても良い。記憶部１０３は、例えば、小型のハードディスクドライブ及びＳＳＤ（Solid State Drive）等を備えていても良い。また、制御部１００の全ての機能あるいは制御部１００の一部の機能は、その機能の実現にソフトウェアが不要なハードウェアによって実現されても構わない。
【００２６】
無線通信部１１０は、アンテナ１１１を有している。無線通信部１１０は、例えば、電子機器１とは別の携帯電話機からの信号、あるいはインターネットに接続されたウェブサーバ等の通信装置からの信号を、基地局を介してアンテナ１１１で受信することが可能である。無線通信部１１０は、アンテナ１１１での受信信号に対して増幅処理及びダウンコンバートを行って制御部１００に出力することが可能である。制御部１００は、入力される受信信号に対して復調処理等を行って、当該受信信号に含まれる音声や音楽などを示す音信号などの情報を取得することが可能である。
【００２７】
また無線通信部１１０は、制御部１００で生成された送信信号に対して、アップコンバート及び増幅処理を行って、当該処理後の送信信号をアンテナ１１１から無線送信することが可能である。アンテナ１１１からの送信信号は、例えば、基地局を通じて、電子機器１以外の携帯電話機あるいはインターネットに接続されたウェブサーバ等の通信装置で受信される。
【００２８】
表示部１２０は、表示パネル１２１及びカバーパネル２などで構成されている。表示パネル１２１は、例えば、液晶パネルあるいは有機ＥＬパネルである。表示パネル１２１は、制御部１００に制御されることによって、文字、記号、図形などの各種情報を表示することが可能である。表示パネル１２１が表示する各種情報は、カバーパネル２の表示画面２ａに表示される。
【００２９】
タッチセンサ１３０は、電子機器１の表面に設けられた表示画面２ａに対する指等の操作子による操作（以降、「タッチ操作」と呼ぶことがある）を検出することが可能である。ユーザが指等の操作子によって表示画面２ａに対してタッチ操作を行うと、その操作に応じた電気信号がタッチセンサ１３０から制御部１００に入力される。これにより、制御部１００は、タッチセンサ１３０からの電気信号に基づいて、表示画面２ａに対して行われた操作の内容を特定して、その内容に応じた処理を行うことが可能である。制御部１００は、表示画面２ａに対するタッチ操作を検出するタッチ操作検出部として機能する。
【００３０】
タッチセンサ１３０は、例えば、投影型静電容量方式のタッチパネルである。タッチパネルは、例えば、表示パネル１２１とは別体となっている。この場合、タッチパネルは、カバーパネル２の裏面に取り付けられている。そして、表示パネル１２１は、タッチパネルにおけるカバーパネル２側の面とは反対側の面に取り付けられている。つまり、表示パネル１２１は、タッチパネルを介してカバーパネル２の裏面に取り付けられている。
【００３１】
なお、タッチセンサ１３０は、表示パネル１２１とは別体に設けられるタッチパネルに限られず、いわゆるインセル型タッチパネルあるいはオンセル型タッチパネルのように、表示パネル１２１と一体になったものでも良い。この場合、タッチセンサ１３０を含む表示パネル１２１が、表示画面２ａの裏面に取り付けられる。
【００３２】
また、ユーザは、指以外の操作子、例えば、スタイラスペンなどの静電式タッチパネル用ペンで表示画面２ａを操作することによっても、電子機器１に対して各種指示を与えることができる。タッチ操作検出部でのタッチ操作の検出動作については、後で詳細に説明する。
【００３３】
操作キー群１４０の各操作キー１４は、ユーザによって操作されると、操作されたことを示す操作信号を制御部１００に出力する。これにより、制御部１００は、各操作キー１４からの操作信号に基づいて、当該操作キー１４が操作されたか否かを判断することができる。制御部１００は、操作された操作キー１４に応じた処理を行うことが可能である。
【００３４】
なお、操作キー１４ｂ〜１４ｄは、押しボタンなどのハードウェアキーではなく、表示画面２ａに表示されるソフトウェアキーであってもよい。この場合には、ソフトウェアキーへのタッチ操作がタッチセンサ１３０によって検出されて、制御部１００は、操作されたソフトウェアキーに応じた処理を行うことが可能である。
【００３５】
マイク１５０は、電子機器１の外部から入力される音を電気的な音信号に変換して制御部１００に出力することが可能である。電子機器１の外部からの音は、例えば、機器ケース３の底面（下側の側面）に設けられたマイク穴１５から電子機器１の内部に取り込まれてマイク１５０に入力される。
【００３６】
外部スピーカ１７０は、例えばタイミックスピーカである。外部スピーカ１７０は、制御部１００からの電気的な音信号を音に変換して出力することが可能である。外部スピーカ１７０から出力される音は、例えば、カバーパネル２の下側端部に設けられたスピーカ穴１７から電子機器１の外部に出力される。スピーカ穴１７から出力される音については、電子機器１から離れた場所でも聞こえるような音量となっている。
【００３７】
レシーバ１６０は、受話音を出力するものであって、例えばダイナミックスピーカで構成されている。レシーバ１６０は、制御部１００からの電気的な音信号を音に変換して出力することが可能である。レシーバ１６０から出力される音は、例えば、カバーパネル２の上側端部に設けられたレシーバ穴１６から外部に出力される。レシーバ穴１６から出力される音の音量は、例えば、外部スピーカ１７０からスピーカ穴１７を介して出力される音の音量よりも小さくなっている。
【００３８】
なおレシーバ１６０に代えて、圧電振動素子が設けられてもよい。圧電振動素子は、制御部１００からの音声信号に基づいて振動することが可能である。圧電振動素子は、例えばカバーパネル２の裏面に設けられており、音声信号に基づく自身の振動によってカバーパネル２を振動させることが可能である。そして、ユーザが自身の耳をカバーパネル２に近づけることにより、カバーパネル２の振動が音声としてユーザに伝達される。レシーバ１６０に代えて圧電振動素子が設けられる場合には、レシーバ穴１６は不要である。
【００３９】
前面側撮像部１８０及び背面側撮像部１９０のそれぞれは、レンズ及び撮像素子などで構成されている。前面側撮像部１８０及び背面側撮像部１９０のそれぞれは、制御部１００の制御によって被写体を撮像し、撮像した被写体を示す静止画像あるいは動画像を生成して制御部１００に出力することが可能である。前面側撮像部１８０が有するレンズは、カバーパネル２に設けられた第３透明部１８から視認可能となっている。したがって、前面側撮像部１８０は、電子機器１のカバーパネル２側、つまり電子機器１の前面１ａ側に存在する被写体を撮像することが可能である。背面側撮像部１９０が有するレンズは、電子機器１の背面１ｂに設けられた第４透明部１９から視認可能となっている。したがって、背面側撮像部１９０は、電子機器１の背面１ｂ側に存在する被写体を撮像することが可能である。
【００４０】
近接検出部２００は、例えば、赤外線方式の近接センサを備える。赤外線方式の近接センサは、赤外光を発光する発光素子と、受光素子とを備える。当該受光素子は、発光素子が発光する赤外光が物体によって反射された場合に、その反射光を受光することが可能である。発光素子が発光する赤外光は、第１透明部２０を透過して電子機器１の外部に出力される。物体からの反射光は、第１透明部２０を透過して、当該受光素子に受光される。受光素子が受光する、物体からの反射光量は、近接センサと物体との距離が近くなるにつれて大きくなる。これにより、近接検出部２００は、受光素子からの出力信号に基づいて、物体の近接を検出することが可能である。近接検出部２００が物体の近接を検出した場合に、物体の近接を示す電気信号が近接検出部２００から制御部１００に入力される。制御部１００は、近接検出部２００からの電気信号に基づいて、電子機器１に物体が近接しているか否かを判断することが可能である。
【００４１】
照度検出部２１０は、受光素子を備えている。照度検出部２１０は、当該照度検出部２１０が備える受光素子からの電気信号に基づいて、電子機器１の周囲の明るさ（照度）を検出することが可能である。照度検出部２１０が有する受光素子が受光する光は、第２透明部２１から入射される。照度検出部２１０での検出照度は、制御部１００に入力される。
【００４２】
電池２２０は、電子機器１の電源を出力することが可能である。電池２２０は、例えば、リチウムイオン二次電池等の充電式の電池である。電池２２０は、電子機器１が備える制御部１００及び無線通信部１１０等の各種電子部品に対して電源を供給することが可能である。
【００４３】
＜電子機器の動作モードについて＞
電子機器１は、動作モードとして、電子機器１における一部の機能が停止するスリープモードと、スリープモードが解除された状態である通常モードとを備えている。スリープモードで動作する電子機器１において停止される機能には、表示画面２ａに画像等の各種情報を表示する表示機能が含まれる。電子機器１の動作モードがスリープモードである場合に、表示パネル１２１を含む電子機器１の一部の構成が動作しない。スリープモードでは、通常モードよりも電子機器１の消費電力が低減する。制御部１００が電子機器１の所定の構成を制御することによって、電子機器１の動作モードが設定される。
【００４４】
電子機器１の動作モードが通常モードである場合に、例えば、電子機器１に対して一定時間以上操作が行われなければ、電子機器１の動作モードが通常モードからスリープモードに切り替わる。また、電子機器１の動作モードが通常モードである場合に、電源キー１４ａが操作されたとき、電子機器１の動作モードが通常モードからスリープモードに切り替わる。
【００４５】
一方で、電子機器１の動作モードがスリープモードである場合に、電源キー１４ａが操作されたとき、電子機器１の動作モードがスリープモードから通常モードに切り替わる。つまり、スリープモードにおいて、電源キー１４ａが操作されたとき、電子機器１では、通常モードからスリープモードに切り替わるときに停止された機能が復帰する。また、スリープモードにおいて、ホームキー１４ｃが操作されたとき、電子機器１の動作モードがスリープモードから通常モードに切り替わる。ホームキー１４ｃは、電子機器１の動作モードがスリープモードである場合に、スリープモードを解除するための操作キーとして機能する。以後、電子機器１のスリープモードを解除するための操作を「スリープモード解除操作」と呼ぶことがある。
【００４６】
＜表示画面に表示される画面について＞
表示部１２０は、表示パネル１２１が動作しておらず、文字、記号、図形等の各種情報を表示画面２ａに表示しない第１表示モードと、表示パネル１２１が動作しており、文字、記号、図形等の各種情報を表示画面２ａに表示する第２表示モードとを有する。電子機器１の動作モードがスリープモードである場合には、表示パネル１２１が動作しておらず、表示部１２０は第１表示モードで動作する。電子機器１の動作モードが通常モードである場合には、表示パネル１２１が動作しており、表示部１２０は第２表示モードで動作する。
【００４７】
電子機器１の動作モードが通常モードである場合、つまり表示部１２０の表示モードが第２表示モードである場合には、様々な画面が表示画面２ａに表示される。表示部１２０の表示モードが第２表示モードである場合には、表示画面２ａには、例えば、ホーム画面及びロック画面が表示される。図４はホーム画面３００の一例を示す図である。図５はロック画面４００の一例を示す図である。
【００４８】
図４に示されるように、ホーム画面３００には、電池２２０の現在の容量を示す電池残量アイコン３０１と、現在の時刻３０２と、無線通信部１１０での電波の受信状況を示す受信状況アイコン（電波状況アイコンとも呼ばれる）３０３とが示される。さらに、ホーム画面３００には、アプリケーションに対応し、対応するアプリケーションを実行するための図形（以後、「アプリケーションアイコン」と呼ぶ）３０５が示される。図４の例では、９個のアプリケーションアイコン３０５が示されている。図４の例では、９個のアプリケーションアイコン３０５に対して同一の符号を付しているが、９個のアプリケーションアイコン３０５のそれぞれは、別々のアプリケーションに対応している。ユーザが複数のアプリケーションアイコン３０５のうちの一つに対して所定の操作を行うと、制御部１００は、操作されたアプリケーションアイコン３０５に対応するアプリケーションを記憶部１０３から読み出して実行する。これにより、ユーザは、アプリケーションアイコン３０５を操作することによって、操作されたアプリケーションアイコン３０５に対応するアプリケーションを電子機器１に実行させることができる。例えば、ユーザが、複数のアプリケーションアイコン３０５のうち、通話アプリケーションに対応する一つのアプリケーションアイコン３０５を操作すると、電子機器１では通話アプリケーションが実行される。またユーザが、複数のアプリケーションアイコン３０５のうち、カメラアプリケーションに対応する一つのアプリケーションアイコン３０５を操作すると、電子機器１ではカメラアプリケーションが実行される。アプリケーションアイコン３０５は、表示画面２ａに表示されるソフトウェアボタンであるともいえる。
【００４９】
アプリケーションアイコン３０５に対する操作としては、例えば、当該アプリケーションアイコン３０５に対して、ユーザが指等の操作子を近づけた後、当該操作子を遠ざける操作が考えられる。また、アプリケーションアイコン３０５に対する操作としては、例えば、当該アプリケーションアイコン３０５に対して、ユーザが指等の操作子を接触させた後、当該操作子を遠ざける操作が考えられる。これらの操作は、いわゆるタップ操作と呼ばれる。なお、このタップ操作による操作は、アプリケーションアイコン３０５に対する操作以外にも、表示画面２ａに表示される各種情報に対する操作として使用される。
【００５０】
図５に示されるように、ロック画面４００には、ホーム画面３００と同様に、電池残量アイコン３０１及び受信状況アイコン３０３が示される。またロック画面４００には、現在の時刻３０６と、現在の日付３０７と、現在の曜日３０８とが示される。ロック画面４００において、時刻３０６は、例えば、ホーム画面３００での時刻３０２とは異なる位置において、当該時刻３０２よりも大きく示される。
【００５１】
ここで、電子機器１の通常モードには、記憶部１０３内の複数のアプリケーションのうち、特定のアプリケーション（例えば通話アプリケーション及びカメラアプリケーション）以外のアプリケーション、あるいは記憶部１０３内のすべてのアプリケーションを、ユーザが電子機器１に実行させることができないロックモードが含まれる。電子機器１の動作モードがロックモードである場合には、ユーザは、記憶部１０３内の複数のアプリケーションのうち、特定のアプリケーション以外の各アプリケーションについて、あるいは記憶部１０３内のすべてのアプリケーションのそれぞれについて、当該アプリケーションの実行を電子機器１に指示することができない。このように、電子機器１の動作モードがロックモードである場合には、電子機器１の機能の少なくとも一部が制限される。ロックモードは、ユーザの意図しない操作によって起こる誤動作を抑制するために用いることができる。ロック画面４００は、電子機器１の動作モードがロックモードであることを通知する画面であって、電子機器１の動作モードがロックモードであるときに、表示画面２ａに表示される。
【００５２】
電子機器１の動作モードがスリープモードである場合に、電源キー１４ａが操作されたときと、ホームキー１４ｃが操作されたとき、スリープモードが解除されて、電子機器１の動作モードはロックモードとなり、表示画面２ａにロック画面４００が表示される。
【００５３】
また、電子機器１の動作モードが通常モードであって、ロックモードでない場合に、ホームキー１４ｃが操作されると、表示画面２ａにはホーム画面３００が表示される。
【００５４】
表示画面２ａにロック画面４００が表示されている場合に、ユーザが電子機器１に対して所定の操作を行うと、電子機器１ではロックモードが解除されて、表示画面２ａの表示はロック画面４００から他の画面、例えばホーム画面３００に切り替わる。以後、通常モードにおいて、ロックモードが解除されている状態を「非ロックモード」と呼ぶ。また、ロックモードを解除する操作を「ロック解除操作」と呼ぶことがある。
【００５５】
＜ロック解除操作について＞
タッチ操作検出部は、例えば、表示画面２ａに対するフリック操作をロック解除操作として検出する。図６は、ロック画面４００を表示する表示画面２ａに対して、ユーザが指４０によるフリック操作を行う様子を示す図である。
【００５６】
フリック操作とは、表示画面２ａを指などの操作子で素早く払う操作である。詳細には、タッチ操作検出部は、操作子が表示画面２ａに接触あるいは近接した状態で所定時間以内に所定距離以上移動して表示画面２ａから離れる操作を検出した場合に、フリック操作が行われたと判断する。フリック操作として判断されるための、表示画面２ａにおける操作子の移動距離は、例えば、表示画面２ａの長手方向の大きさの数十分の一に設定される。
【００５７】
電子機器１の動作モードがロックモードであるとき、つまり表示部１２０がロック画面を表示しているときに、タッチ操作検出部がフリック操作を検出した場合には、ロックモードが解除されて、電子機器１の動作モードがロックモードから非ロックモードに切り替わる。以後、ロック解除操作として判断されるための、表示画面２ａにおける操作子の移動距離を「ロック解除操作距離」と呼ぶことがある。ロック解除操作がフリック操作である場合には、ロック解除操作距離は、タッチ操作検出部がフリック操作であると判断する際の、表示画面２ａにおける操作子の移動距離となる。なお、ロック解除操作がフリック操作である場合に、ロック解除操作距離は、タッチ操作検出部がフリック操作であると判断する際の、表示画面２ａにおける操作子の移動距離と必ずしも同じでなくても良い。
【００５８】
なお、タッチ操作検出部は、操作子が表示画面２ａに接触あるいは近接した状態で所定時間以内に所定距離以上移動して表示画面２ａから離れる操作をフリック操作として判断するのではなく、操作子が表示画面２ａに接触あるいは近接した状態で所定距離以上移動して表示画面２ａから離れる操作において、表示画面２ａから離れる直前の操作子の移動速度が所定値以上である場合に、フリック操作が行われたと判断してもよい。
【００５９】
また、タッチ操作検出部は、表示画面２ａにおける任意の位置でのフリック操作をロック解除操作として検出しても良いし、表示画面２ａにおける所定の領域内でのフリック操作をロック解除操作として検出しても良い。また、タッチ操作検出部は、任意の方向に操作子を移動させるフリック操作をロック解除操作として検出しても良いし、所定の方向に操作子を移動させるフリック操作をロック解除操作として検出しても良い。
【００６０】
なお、ロック解除操作は、フリック操作ではなく、所定距離以上のスライド操作であってもよい。図７は、ロック画面４００を表示する表示画面２ａに対して、ユーザが指４０によるスライド操作を行う様子を示す図である。
【００６１】
スライド操作とは、指等の操作子が表示画面２ａに接触あるいは近接した状態で移動する操作である。つまり、スライド操作とは、操作子が表示画面２ａにおいて移動する操作である。
【００６２】
電子機器１の動作モードがロックモードであるとき、つまり表示部１２０がロック画面を表示しているときに、タッチ操作検出部が、操作子が表示画面２ａに接触あるいは近接した状態で所定距離以上移動するスライド操作を検出した場合には、ロックモードが解除されて、電子機器１の動作モードがロックモードから非ロックモードに切り替わる。スライド操作によるロック解除操作でのロック解除操作距離は、フリック操作によるロック解除操作でのロック解除操作距離よりも大きく設定される。例えば、スライド操作によるロック解除操作でのロック解除操作距離は、表示画面２ａの長手方向の大きさの数分の一に設定される。
【００６３】
なお、タッチ操作検出部は、操作子が表示画面２ａにおける任意の位置から所定距離以上移動するスライド操作をロック解除操作として検出しても良いし、操作子が表示画面２ａにおける所定の領域内から所定距離以上移動するスライド操作をロック解除操作として検出しても良い。また、タッチ操作検出部は、操作子が任意の方向に所定距離以上移動するスライド操作をロック解除操作として検出しても良いし、操作子が所定の方向に所定距離以上移動するスライド操作をロック解除操作として検出しても良い。
【００６４】
また、ロック画面にロック解除用の操作ボタンが表示されて、タッチ操作検出部は、当該操作ボタンを所定位置まで移動させるスライド操作をロック解除操作として検出しても良い。図８は、ロック解除用の操作ボタン３１０を表示するロック画面４１０に対して、ユーザが指４０によって当該操作ボタン３１０を操作する様子を示す図である。図８に示されるように、ユーザが、指４０を操作ボタン３１０にタッチ操作した後、所定の方向にスライド操作した場合には、指４０のスライド操作に応じて、表示画面２ａにおける操作ボタン３１０の位置が移動する。そして、表示画面２ａにおける操作ボタン３１０の位置が所定位置まで移動した場合に、電子機器１のロックモードが解除される。
【００６５】
＜タッチ操作の検出感度について＞
タッチ操作検出部は、第１感度でタッチ操作を検出する第１検出モードと、当該第１感度より高い第２感度でタッチ操作を検出する第２検出モードとを備えている。タッチ操作検出部の検出モードは、制御部１００によって設定される。本実施例では、タッチ操作検出部における、「タッチ操作を検出する感度が高い」とは、後述するように、タッチ操作検出部が、タッチ操作が行われたと判定するためのしきい値が低いことを意味する。なお、タッチ操作検出部における、「タッチ操作を検出する感度が高い」とは、タッチセンサ１３０自身のタッチ操作検出における感度が高いということを意味していてもよい。
【００６６】
タッチセンサ１３０が投影型静電容量方式のタッチパネルである場合には、タッチ操作検出部は、タッチパネルの表面と、指などの操作子との間に生じる静電容量の変化を検出することが可能である。タッチ操作検出部は、静電容量の変化が所定値よりも大きい場合に、タッチ操作が行われたと判定する。
【００６７】
第２検出モードのタッチ操作検出部は、静電容量の変化が第１しきい値よりも大きい場合に、タッチ操作が行われたと判断する。第１検出モードのタッチ操作検出部は、静電容量の変化が第２しきい値よりも大きい場合に、タッチ操作が行われたと判断する。第２しきい値は、第１しきい値よりも大きい値に設定される。本実施例では、「第１感度でタッチ操作を検出する」とは、タッチ操作検出部が、静電容量の変化が第２しきい値よりも大きい場合に、タッチ操作が行われたと判断することを意味する。また、「第２感度でタッチ操作を検出する」とは、タッチ操作検出部が、静電容量の変化が第１しきい値よりも大きい場合に、タッチ操作が行われたと判断することを意味する。なお、「第１感度でタッチ操作を検出する」とは、タッチセンサ１３０自身のタッチ操作検出における感度が比較的低い状態で、タッチ操作検出部が、タッチ操作が行われたと判断することを意味しており、「第２感度でタッチ操作を検出する」とは、タッチセンサ１３０自身のタッチ操作検出における感度が比較的高い状態で、タッチ操作検出部が、タッチ操作が行われたと判断することを意味していてもよい。
【００６８】
第２検出モードのタッチ操作検出部は、第１検出モードである場合と比較して、静電容量の変化がより小さいタッチ操作に対してもタッチ操作が行われたと判断する。つまり、第２検出モードのタッチ操作検出部は、第１検出モードである場合と比較して、タッチ操作を検出しやすくなる。また、第２検出モードのタッチ操作検出部は、第１検出モードである場合と比較して、タッチ操作を検出する感度が高いともいえる。第１しきい値は、例えば、ユーザが手袋を装着しているような場合においても、手袋を装着した指よるタッチ操作を検出するような値に設定される。また、第２しきい値は、例えば、手袋を装着した指によるタッチ操作は検出されず、手袋を装着していない指によるタッチ操作を検出するような値に設定される。
【００６９】
このように、タッチ操作検出部の検出モードが第２検出モードである場合には、タッチ操作を検出しやすくなることから、電子機器１に対する操作性を向上することができる。以後、第１検出モードを「低感度モード」と呼ぶことがある。また、第２検出モードを「高感度モード」と呼ぶことがある。
【００７０】
タッチ操作検出部の検出モードが高感度モードである場合には、タッチ操作が検出しやすくなることから、誤操作によるタッチ操作も検出しやすくなる。
【００７１】
ユーザは、電子機器１を使用していないときに、電子機器１の動作モードをスリープモードにして、服のポケットの中、カバンの中などに入れる場合がある。この場合に、誤操作によってスリープモードが解除される場合がある。例えば、電子機器１がユーザの服のポケットの中にあって、誤操作によってスリープモードが解除されたときに、タッチ操作検出部の検出モードが高感度モードに設定されている場合には、低感度モードである場合と比較して、服を介してユーザの体（たとえば足）によるタッチ操作を検出する可能性が高くなる。そして、このような誤操作によるタッチ操作によって、ロックモードが解除されて、ユーザが意図しない機能が実行される可能性がある。
【００７２】
そこで、電子機器１は、当該電子機器１がユーザの服のポケットの中に入れられているような状態を判断し、当該電子機器１がポケットの中に入れられているような状態だと判断されたときには、タッチ操作検出部の検出モードを低感度モードに設定する。以下では、この動作の詳細について説明する。
【００７３】
＜タッチ操作検出部の検出モードの切り替え動作について＞
図９は、電子機器１の動作の一例を示すフローチャートである。図９に示されるように、ステップＳ１において、電子機器１の動作モードはスリープモードとなっている。電子機器１の動作モードがスリープモードである場合に、ステップＳ２において、制御部１００が、スリープモード解除操作を検出すると、ステップＳ３において、スリープモードが解除される。スリープモード解除操作としては、電源キー１４ａ及びホームキー１４ｃの少なくとも一方への操作が考えられる。ステップＳ３において、スリープモードが解除されると、ステップＳ４において、制御部１００は、電子機器１の動作モードをロックモードに設定する。ステップＳ４において、電子機器１の動作モードがロックモードになると、ステップＳ５において、制御部１００は、表示部１２０に図５で示したようなロック画面４００を表示させる。
【００７４】
次に、ステップＳ６において、制御部１００は、近接検出部２００及び照度検出部２１０からの検出信号に基づいて、電子機器１に物体が近接しており、かつ検出照度が所定値以下であるか否かを判定する。電子機器１がユーザの服のポケットの中あるいはカバンの中などに入れられている場合には、電子機器１の周囲は暗くなっており、かつ近接検出部２００が物体の近接を検出している可能性が高い。そこで、制御部１００において、電子機器１に物体が近接しており、かつ検出照度が所定値以下であると判定される場合には、タッチ操作検出部がタッチ操作を検出しにくくする。
【００７５】
ステップＳ６において、肯定的な判定がなされる場合、つまり、制御部１００が、電子機器１に物体が近接しており、かつ検出照度が所定値以下であると判定する場合には、ステップＳ７が実行される。ステップＳ７において、制御部１００は、タッチ操作検出部の検出モードを第１検出モード（低感度モード）に設定する。
【００７６】
ステップＳ７が実行された後、再度ステップＳ６が実行される。ステップＳ６において、否定的な判定がなされるまでの間、ステップＳ６及びＳ７の一連の処理が繰り返し実行される。ステップＳ６及びＳ７の一連の処理は、例えば、所定時間毎に実行される。
【００７７】
一方、ステップＳ６において、否定的な判定がなされる場合、つまり、制御部１００が、近接検出部２００が物体の近接を検出しており、かつ照度検出部２１０が検出する検出照度が所定値以下であると判定しない場合には、ステップＳ８が実行される。ステップＳ８において、制御部１００は、タッチ操作検出部の検出モードを第２検出モード（高感度モード）に設定する。ステップＳ８の後、電子機器１の動作モードが再度スリープモードになるまでの間、タッチ操作検出部の検出モードは第２検出モード（高感度モード）のまま維持される。
【００７８】
このように、制御部１００は、電子機器１の動作モードがスリープモードからロックモードになったとき、つまり、表示部１２０の表示モードが第１表示モードから第２表示モードに切り替わるときに、近接検出部２００が物体の近接を検出しており、かつ照度検出部２１０が検出する検出照度が所定値以下であると判定する場合には、タッチ操作検出部の検出モードを低感度モードに設定する。これにより、電子機器１の周囲が暗い場合に、電子機器１に近づく物体による誤操作によるタッチ操作の検出を低減することができる。
【００７９】
一方、制御部１００は、電子機器１の動作モードがスリープモードからロックモードになったとき、近接検出部２００が物体の近接を検出しており、かつ照度検出部２１０での検出照度が所定値以下であると判定しない場合には、タッチ操作検出部の検出モードを高感度モードに設定する。これにより、タッチ操作検出部は、タッチ操作を検出しやすくなる。その結果、電子機器１に対する操作性を向上することができる。
【００８０】
さらに、制御部１００は、電子機器１の動作モードがスリープモードからロックモードになったとき、近接検出部２００が物体の近接を検出しており、かつ照度検出部２１０が検出する照度が所定値以下であると判定して、タッチ操作検出部の検出モードを低感度モードに設定した後、近接検出部２００が物体の近接を検出しており、かつ照度検出部２１０が検出する検出照度が所定値以下であると判定しなくなった場合には、タッチ操作検出部の検出モードを高感度モードに設定する。この場合でも、タッチ操作検出部は、タッチ操作を検出しやすくなる。その結果、電子機器１に対する操作性を向上することができる。
【００８１】
なお、制御部１００は、電子機器１の動作モードがスリープモードからロックモードになったとき、照度検出部２１０での検出照度に関わらず、近接検出部２００が物体の近接を検出していると判定しない場合に、タッチ操作検出部の検出モードを高感度モードに設定しても良い。また、制御部１００は、電子機器１の動作モードがスリープモードからロックモードになったとき、近接検出部２００での検出結果に関わらず、照度検出部２１０での検出照度が所定値以下であると判定しない場合に、タッチ操作検出部の検出モードを高感度モードに設定しても良い。この場合でも、タッチ操作検出部は、タッチ操作を検出しやすくなる。その結果、電子機器１に対する操作性を向上することができる。
【００８２】
また、制御部１００は、電子機器１の動作モードがスリープモードからロックモードになったとき、近接検出部２００が物体の近接を検出しており、かつ照度検出部２１０が検出する照度が所定値以下であると判定して、タッチ操作検出部の検出モードを低感度モードに設定した後、照度検出部２１０での検出照度に関わらず、近接検出部２００が物体の近接を検出していると判定しない場合に、タッチ操作検出部の検出モードを高感度モードに設定しても良い。また、電子機器１の動作モードがスリープモードからロックモードになったとき、近接検出部２００が物体の近接を検出しており、かつ照度検出部２１０が検出する照度が所定値以下であると判定して、タッチ操作検出部の検出モードを低感度モードに設定した後、近接検出部２００での検出結果に関わらず、照度検出部２１０での検出照度が所定値以下であると判定しない場合に、タッチ操作検出部の検出モードを高感度モードに設定しても良い。この場合でも、タッチ操作検出部は、タッチ操作を検出しやすくなる。その結果、電子機器１に対する操作性を向上することができる。
【００８３】
近接検出部２００及び照度検出部２１０は、例えば、制御部１００の制御によって、電子機器１の動作モードがスリープモードである場合には動作しておらず、電子機器１がスリープモードから解除された場合に動作する。これにより、電子機器１の消費電力を抑制することができる。この場合には、電子機器１の動作モードがスリープモードから通常モードに切り替わった後、近接検出部２００が動作を開始して物体の近接を検出可能になるまでの間と、照度検出部２１０が動作を開始して照度を検出可能になるまでの間、制御部１００は、タッチ操作検出部の検出モードを低感度モードに設定する。これにより、誤操作によるタッチ操作の検出をより低減することができる。
【００８４】
なお、制御部１００は、電子機器１の動作モードがスリープモードから通常モードに切り替わる場合に、電子機器１の動作モードをロックモードに設定せずに、非ロックモードに設定してもよい。この場合でも、制御部１００は、近接検出部２００及び照度検出部２１０の検出結果に基づいて、タッチ操作検出部の検出モードを設定する。
【００８５】
＜第２実施形態＞
上記のように、タッチ操作検出部の検出モードを低感度モードにした場合であっても、タッチ操作検出部は、誤操作によるロック解除操作を検出する場合がある。本実施の形態では、タッチ操作検出部の検出モードを低感度モードにするのに加えて、ロック解除操作距離を長くすることによって、誤操作によるロック解除操作の検出をより低減する。
【００８６】
本実施の形態では、タッチ操作検出部は、ロック解除操作距離を第１距離と、当該第１距離よりも長い第２距離に設定することが可能である。ロック解除操作がフリック操作である場合には、第２距離は、例えば、第１距離の十倍程度に設定される。また、ロック解除操作がスライド操作である場合には、第２距離は、例えば、第１距離の数倍程度に設定される。
【００８７】
図１０は、本実施の形態に係る電子機器１の動作の一例を示すフローチャートである。図１０に示されるステップＳ１１〜Ｓ１６での処理は、図９に示されるステップＳ１〜Ｓ６での処理と同様であるので繰り返しの説明は省略する。
【００８８】
ステップＳ１６において、肯定的な判定がなされる場合には、ステップＳ１７が実行される。ステップＳ１７において、制御部１００は、タッチ操作検出部の検出モードを第１検出モード（低感度モード）に設定し、タッチ操作検出部でのロック解除操作距離を第２距離に設定する。
【００８９】
ステップＳ１７が実行されたあと、再度ステップＳ１６が実行される。ステップＳ１６において、否定的な判定がなされるまでの間、ステップＳ１６及びＳ１７の一連の処理が繰り返される。ステップＳ１６及びステップＳ１７の一連の処理は、例えば、所定時間毎に実行される。
【００９０】
一方、ステップＳ１６において、否定的な判定がなされる場合には、ステップＳ１８が実行される。ステップＳ１８において、制御部１００は、タッチ操作検出部の検出モードを第２検出モード（高感度モード）に設定し、タッチ操作検出部でのロック解除操作距離を第１距離に設定する。ステップＳ１８の後、電子機器１の動作モードが再度スリープモードになるまでの間、タッチ操作検出部の検出モードは第２検出モード（高感度モード）のまま維持され、タッチ操作検出部でのロック解除操作距離は第１距離のまま維持される。
【００９１】
このように、制御部１００は、電子機器１の動作モードがスリープモードからロックモードになったとき、つまり表示部の表示モードが第１表示モードから第２表示モードに切り替わるときに、近接検出部２００が物体の近接を検出しており、かつ照度検出部２１０での検出照度が所定値以下であると判定する場合には、タッチ操作検出部の検出モードを低感度モードに設定し、タッチ操作検出部でのロック解除操作距離を第２距離に設定する。これにより、近接検出部２００が物体の近接を検出しており、かつ照度検出部が検出する照度が所定値以下であるような場合において、タッチ操作検出部が誤操作によるタッチ操作を検出することをより低減することができる。
【００９２】
一方、制御部１００は、電子機器１の動作モードがスリープモードからロックモードになったとき、近接検出部２００が物体の近接を検出しており、かつ照度検出部２１０が検出する検出照度が所定値以下であると判定しない場合には、タッチ操作検出部の検出モードを高感度モードに設定し、タッチ操作検出部でのロック解除操作距離を第１距離に設定する。これにより、タッチ操作検出部は、タッチ操作を検出しやすくなる。その結果、電子機器１に対する操作性を向上することができる。
【００９３】
また、制御部１００は、電子機器１がスリープモードから解除されてロックモードになったとき、近接検出部２００が物体の近接を検出しており、かつ照度検出部２１０が検出する照度が所定値以下であると判定して、タッチ操作検出部の検出モードを低感度モードに設定し、タッチ操作検出部でのロック解除操作距離を第２距離に設定した後、近接検出部２００が物体の近接を検出しており、かつ照度検出部２１０が検出する検出照度が所定値以下であると判定しなくなった場合には、タッチ操作検出部の検出モードを高感度モードに設定し、タッチ操作検出部でのロック解除操作距離を第２距離に設定する。この場合でも、タッチ操作検出部は、タッチ操作を検出しやすくなる。その結果、電子機器１に対する操作性を向上することができる。
【００９４】
なお、制御部１００は、電子機器１の動作モードがスリープモードからロックモードになったとき、照度検出部２１０での検出照度に関わらず、近接検出部２００が物体の近接を検出していると判定しない場合に、タッチ操作検出部の検出モードを高感度モードに設定し、タッチ操作検出部でのロック解除操作距離を第２距離に設定しても良い。また、制御部１００は、電子機器１の動作モードがスリープモードからロックモードになったとき、近接検出部２００での検出結果に関わらず、照度検出部２１０での検出照度が所定値以下であると判定しない場合に、タッチ操作検出部の検出モードを高感度モードに設定し、タッチ操作検出部でのロック解除操作距離を第２距離に設定しても良い。
【００９５】
また、制御部１００は、電子機器１の動作モードがスリープモードからロックモードになったときに、近接検出部２００が物体の近接を検出しており、かつ照度検出部２１０が検出する照度が所定値以下であると判定して、タッチ操作検出部の検出モードを低感度モードに設定し、タッチ操作検出部でのロック解除操作距離を第２距離に設定した後、照度検出部２１０での検出照度に関わらず、近接検出部２００が物体の近接を検出していると判定しない場合に、タッチ操作検出部の検出モードを高感度モードに設定し、タッチ操作検出部でのロック解除操作距離を第２距離に設定しても良い。また、制御部１００は、電子機器１の動作モードがスリープモードからロックモードになったときに、近接検出部２００が物体の近接を検出しており、かつ照度検出部２１０が検出する照度が所定値以下であると判定して、タッチ操作検出部の検出モードを低感度モードに設定し、タッチ操作検出部でのロック解除操作距離を第２距離に設定した後、近接検出部２００での検出結果に関わらず、照度検出部２１０での検出照度が所定値以下であると判定しない場合にタッチ操作検出部の検出モードを高感度モードに設定し、タッチ操作検出部でのロック解除操作距離を第２距離に設定しても良い。この場合でも、タッチ操作検出部は、タッチ操作を検出しやすくなる。その結果、電子機器１に対する操作性を向上することができる。
【００９６】
なお、本実施の形態では、制御部１００は、近接検出部２００及び照度検出部２１０からの検出信号に基づいて、タッチ操作検出部の検出モードと、ロック解除操作距離とを設定しているが、タッチ操作検出部の検出モードを設定せずに、ロック解除操作距離を設定しても良い。
【００９７】
＜第３実施形態＞
本実施の形態では、制御部１００は、タッチ操作検出部でのタッチ操作の検出信号に基づいて、タッチ操作検出部の検出モードを設定する。
【００９８】
図１１は、本実施の形態に係る電子機器１の動作の一例を示すフローチャートである。図１１に示されるステップＳ２１〜Ｓ２５での処理は、図９に示されるステップＳ１〜Ｓ５での処理と同様であるので繰り返しの説明は省略する。
【００９９】
ステップＳ２６において、制御部１００は、タッチ操作検出部の検出モードを第２検出モード（高感度モード）に設定する。ステップＳ２６が実行された後、ステップＳ２７において、第２検出モードのタッチ操作を検出すると、ステップＳ２８が実行される。
【０１００】
ステップＳ２８において、制御部１００は、タッチ操作検出部からの検出信号に基づいて、第２検出モードのタッチ操作検出部が検出したタッチ操作が、第１検出モードのタッチ操作検出部で検出できるか否かを判定する。具体的には、第２検出モードのタッチ操作検出部は、静電容量の変化が第１しきい値よりも大きい場合に、タッチ操作が行われたと判断する。また、第２検出モードのタッチ操作検出部は、静電容量の変化が第２しきい値よりも大きい場合でも、タッチ操作が行われたと判断することができる。制御部１００は、第２検出モードのタッチ操作検出部が検出した静電容量の変化が第２しきい値よりも大きい場合に、第１検出モードのタッチ操作検出部で検出できると判定する。制御部１００は、タッチ操作検出部からの検出信号に基づいて、第２検出モードのタッチ操作検出部が検出したタッチ操作が、第１検出モードのタッチ操作検出部で検出できるか否かを判定する判定部として機能する。
【０１０１】
ステップＳ２８において、肯定的な判定がなされる場合には、ステップＳ２９が実行される。ステップＳ２９において、制御部１００は、タッチ操作検出部の検出モードを第１検出モード（低感度）に設定する。ステップＳ２９の後、電子機器１の動作モードが再度スリープモードになるまでの間、タッチ操作検出部の検出モードは第１検出モード（低感度モード）のまま維持される。
【０１０２】
一方、ステップＳ２８において、否定的な判定がなされる場合には、再度ステップＳ２７が実行される。以後、電子機器１は同様に動作する。つまり、ステップＳ２６においてタッチ操作検出部の検出モードが第２検出モード（高感度モード）に設定された後、ステップＳ２８において、肯定的な判定がなされるまでの間、タッチ操作検出部の検出モードは第２検出モード（高感度モード）のまま維持される。
【０１０３】
このように、制御部１００は、高感度モードのタッチ操作検出部がタッチ操作を検出した場合に、タッチ操作検出部からの検出信号に基づいて、検出されたタッチ操作が低感度モードのタッチ操作検出部で検出できるか否かを判定する。また制御部１００は、検出されたタッチ操作が低感度モードのタッチ操作検出部で検出できると判定する場合には、タッチ操作検出部の検出モードを低感度モードに設定する。これにより、タッチ操作検出部における、タッチ操作を検出する感度を適切にすることができる。よって、誤操作によるタッチ操作の検出を低減することができる。
【０１０４】
なお、本実施の形態においても、図９に示されるように、近接検出部２００及び照度検出部２１０での検出結果に基づいて、タッチ操作検出部の検出モードが設定しても良い。
【０１０５】
図１２は、近接検出部２００及び照度検出部２１０での検出結果と、タッチ操作検出部でのタッチ操作の検出信号とに基づいて、タッチ操作検出部の検出モードが設定される、電子機器１の動作の一例を示すフローチャートである。図１２に示されるステップＳ３１〜３６での処理は、図９に示されるステップＳ１〜Ｓ６の処理と同様であるので繰り返しの説明は省略する。
【０１０６】
ステップＳ３６において、肯定的な判定がなされる場合には、ステップＳ３７が実行される。ステップＳ３７において、制御部１００は、タッチ操作検出部の検出モードを第１検出モード（低感度モード）に設定する。
【０１０７】
ステップＳ３７が実行された後、ステップＳ３８が実行される。ステップＳ３８において、制御部１００は、第１検出モード（低感度）モードのタッチ操作検出部がタッチ操作を検出したか否かを判定する。ステップＳ３８において、肯定的な判定がなされる場合には、ステップＳ３９が実行される。ステップＳ３９において、制御部１００は、タッチ操作検出部の検出モードを第１検出モード（低感度モード）に設定する。ステップＳ３８が実行された後に実行されるステップＳ３９では、制御部１００は、タッチ操作検出部の検出モードを第１検出モード（低感度モード）のまま維持する。ステップＳ３９の後、電子機器１の動作モードが再度スリープモードになるまでの間、タッチ操作検出部の検出モードは第１検出モード（低感度モード）のまま維持される。一方、ステップＳ３８において、否定的な判定がなされる場合には、ステップＳ３６が再度実行される。
【０１０８】
ステップＳ３６において、否定的な判定がなされる場合には、ステップＳ４０が実行される。ステップＳ４０が実行された後、ステップＳ４１において、第２検出モードのタッチ操作検出部がタッチ操作を検出すると、ステップＳ４２が実行される。ステップＳ４２において、制御部１００は、タッチ操作検出部からの検出信号に基づいて、第２検出モードのタッチ操作検出部が検出したタッチ操作が、第１検出モードのタッチ操作検出部で検出できるか否かを判定する。ステップＳ４２での処理は、図１１に示されるステップＳ２８での処理と同様であるので詳細な説明については省略する。
【０１０９】
ステップＳ４２において、肯定的な判定がなされる場合には、ステップＳ３９が実行される。ステップＳ３９において、制御部１００は、タッチ操作検出部の検出モードを第１検出モード（低感度）に設定する。一方、ステップＳ４２において、否定的な判定がなされる場合には、再度ステップＳ４１が実行される。
【０１１０】
なお、本実施の形態においても、図１２に示されるステップＳ３７，Ｓ３９において、制御部１００がタッチ操作検出の検出モードを第１検出モード（低感度モード）に設定する場合に、ロック解除操作距離を第２距離に設定しても良い。また図１２に示されるステップＳ４０において、制御部１００がタッチ操作検出の検出モードを第２検出モード（高感度モード）に設定する場合に、ロック解除操作距離を第１距離に設定しても良い。
【０１１１】
＜各種変形例＞
以下に各種変形例について説明する。
【０１１２】
＜第１変形例＞
上記の各例では、制御部１００は、近接検出部２００及び照度検出部２１０の検出結果に基づいて、タッチ操作検出部の検出モードと、ロック解除操作距離との少なくとも一方を設定していたが、照度検出部２１０の検出結果に関わらず、近接検出部２００の検出結果に基づいて、タッチ操作検出部の検出モードと、ロック解除操作距離との少なくとも一方を設定しても良い。
【０１１３】
例えば、図９に示されるステップＳ６において、制御部１００は、近接検出部２００が物体の近接を検出しており、かつ照度検出部２１０が検出する検出照度が所定値以下であると判定する代わりに、近接検出部２００が物体の近接を検出しているか否かを判定する。図９に示されるステップＳ６以外の動作については、同様であるので説明を省略する。また、図１０に示されるステップＳ１６において、制御部１００は、近接検出部２００が物体の近接を検出しており、かつ照度検出部２１０が検出する検出照度が所定値以下であると判定する代わりに、近接検出部２００が物体の近接を検出しているか否かを判定しても良いし、図１２に示されるステップＳ３６において、制御部１００は、近接検出部２００が物体の近接を検出しており、かつ照度検出部２１０が検出する検出照度が所定値以下であると判定する代わりに、近接検出部２００が物体の近接を検出しているか否かを判定しても良い。
【０１１４】
＜第２変形例＞
また、電子機器１が当該電子機器１の加速度を検出する加速度検出部を備える場合には、当該加速度検出部の検出結果に基づいて、タッチ操作検出部の検出モードと、ロック解除操作距離との少なくとも一方を設定しても良い。例えば、制御部１００は、加速度検出部での検出結果の変化に基づいて、ユーザが歩いているか否か、あるいは走っているか否かを判断することができる。制御部１００において、ユーザが歩いている、あるいは走っていると判断される場合には、ユーザは電子機器１を使用していない可能性が高いので、制御部１００において、ユーザが歩いている、あるいは走っていると判断される場合には、タッチ操作検出部の検出モードを低感度モードに設定したり、ロック解除操作距離を第２距離に設定したりすることによって、誤操作によるタッチ操作の検出を低減することができる。
【０１１５】
制御部１００による、ユーザが歩いているか否か、あるいは走っているか否かの判定は、例えば、図９に示されるステップＳ６、図１０に示されるステップＳ１６，図１２に示されるステップＳ３６におけるそれぞれの処理に代わって実行される。
【０１１６】
＜第３変形例＞
また、制御部１００は、加速度検出部での検出結果に基づいて、電子機器１が所定時間以上静止しているか否かを判定して、当該判定結果に応じて、タッチ操作検出部の検出モードと、ロック解除操作距離との少なくとも一方を設定しても良い。電子機器１が所定時間以上静止していると判断される場合には、ユーザは電子機器１を使用していない可能性が高いので、制御部１００において、電子機器１が所定時間以上静止していると判断される場合には、タッチ操作検出部の検出モードを低感度モードに設定したり、ロック解除操作距離を第２距離に設定したりすることによって、誤操作によるタッチ操作の検出を低減することができる。
【０１１７】
制御部１００による、電子機器１が所定時間以上静止しているか否かの判定は、例えば、図９に示されるステップＳ６、図１０に示されるステップＳ１６，図１２に示されるステップＳ３６におけるそれぞれの処理に代わって実行される。
【０１１８】
また、上記の各例では、本開示の技術をスマートフォン等の携帯電話機に適用する場合を例にあげて説明したが、本開示の技術は、タッチパネルを備える他の電子機器にも適用することができる。例えば、本開示の技術は、パーソナルコンピュータあるいはタブレット端末等の電子機器にも適用することができる。
【０１１９】
以上のように、電子機器１は詳細に説明されたが、上記した説明は、全ての局面において例示であって、この開示がそれに限定されるものではない。また、上述した各種変形例は、相互に矛盾しない限り組み合わせて適用可能である。そして、例示されていない無数の変形例が、この開示の範囲から外れることなく想定され得るものと解される。
【符号の説明】
【０１２０】
１  電子機器
２ａ  表示画面
１００  制御部
１２０  表示部
１２１  表示パネル
１３０  タッチセンサ
２００  近接検出部
２１０  照度検出部
【図１】
2017068327.tif 000003
【図２】
2017068327.tif 000004
【図３】
2017068327.tif 000005
【図４】
2017068327.tif 000006
【図５】
2017068327.tif 000007
【図６】
2017068327.tif 000008
【図７】
2017068327.tif 000009
【図８】
2017068327.tif 000010
【図９】
2017068327.tif 000011
【図１０】
2017068327.tif 000012
【図１１】
2017068327.tif 000013
【図１２】
2017068327.tif 000014